(57)【特許請求の範囲】
【請求項１】
マイクを、ベース本体の内面適所に形成されたマイク挿入部に挿入し、このベース本体にカバー体を被せて上記マイクを保持固定する構造にしたハンズフリーインターホンのマイク固定構造において、
上記マイク挿入部は、ベース本体の側壁に向けてマイク穴が形成されると共に、上記マイクを保持する弾性を有する支持リブを上記ベース本体の底壁から突設し、この支持リブの内側には、ベース本体の底壁から突設した硬質のリブ部を間隔をあけて更に突設して凹所を形成し、この凹所に上記カバー体から突設された硬質の脚部を嵌入して上記マイクを保持固定する構造にしているハンズフリーインターホンのマイク固定構造。
【請求項２】
請求項１において、
上記支持リブには、少なくともマイクの重心位置と対応する部分に、マイク側に突出させた突起部を形成しているハンズフリーインターホンのマイク固定構造。
【請求項３】
請求項２において、
上記突起部は、マイクの重心位置を中心にして左右対称な位置に各々形成しているハンズフリーインターホンのマイク固定構造。
【請求項４】
請求項２又は３の何れかにおいて、
上記突起部の端部は、マイクの挿入側に向けて徐々に細くしたテーパー状に形成しているハンズフリーインターホンのマイク固定構造。
【発明の詳細な説明】
【０００１】
【発明の属する技術分野】
本発明は、ハンズフリーインターホンのマイク固定構造に関し、詳しくは、マイクを、ベース本体の内面適所に形成されたマイク挿入部に挿入し、このベース本体にカバー体を被せて上記マイクを保持固定する構造にしたハンズフリーインターホンのマイク固定構造に関する。
【０００２】
【従来の技術】
一般に、ハンズフリーインターホンの外郭となるカバー体及びベース本体は、樹脂成形されており、その成形金型の構造上、ハンズフリーインターホンの側面にはマイクなどをネジ止めすることができない。
【０００３】
そのため、上記マイクは、上記カバー体又はベース本体の一方に圧入し、他方を被せて固着することで上記マイクを保持固定していた。
【０００４】
図３は、従来のハンズフリーインターホンのマイク固定構造を示す要部断面図である。
【０００５】
このハンズフリーインターホン１００は、軟質ゴムキャップで被われたマイク１０１を、ベース本体１０２の内面適所に形成されたマイク挿入部１１２に挿入し、このベース本体１０２にカバー体１０３を被せてマイク１０１を保持固定する構造にしている。
【０００６】
マイク１０１は、マイク基板１１１の片面に円柱状のマイク部１２１を立設して形成されている。
【０００７】
マイク挿入部１１２は、ベース本体１０２の側壁１２２に向けて貫通するマイク穴１３２を形成すると共に、マイク１０１のマイク基板１１１を保持する支持リブ１４２をベース本体１０２の底壁１５２から突設している。
【０００８】
この支持リブ１４２は、弾性又は剛性の何れでも成形することができる。
【０００９】
また、マイク挿入部１１２には、挿入されるマイク部１２１の中心を位置付けるための位置決めリブ１６２を、ベース本体１０２の底壁１５２適所から突設して形成している。
【００１０】
一方、カバー体１０３には、位置決めリブ１６２と略対向する位置に、挿入したマイク１０１を押し付ける押片１１３を立設している。
【００１１】
このようなハンズフリーインターホン１００のマイク固定構造では、先ず、マイク部１２１を側壁１２２に向けた状態で、ベース本体１０２の開放側からマイク挿入部１１２に挿入する。
【００１２】
すると、マイク基板１１１は、支持リブ１４２を略摺接しながら挿入されると共に、位置決めリブ１６２によって、マイク部１２１の中心がマイク穴１３２に向けて位置付けられ、マイク１０１がマイク挿入部１１２に仮保持される。
【００１３】
そして、マイク基板１１１、その他の制御回路等を結線して組み付けた後、ベース本体１０２にカバー体１０３を嵌め合わせると、その押片１１３がマイク１０１を押え付けながらベース本体１０２にカバー体１０３が嵌合する。
【００１４】
最後に、上記ベース本体１０２の底壁１５２適所に設けたネジ孔を通じてカバー体１０３にネジ止めすれば、マイク１０１が保持固定される。
【００１５】
【発明が解決しようとする課題】
しかし、従来のハンズフリーインターホンのマイク固定構造では、マイク１０１の側方向に向けての保持固定は良いが、マイク１０１の前後方向に向けての保持固定に問題があった。
【００１６】
すなわち、ベース本体１０２の支持リブ１４２を弾性を有する軟質で成形した場合、この支持リブ１４２は、挿入後のマイク１０１をマイク部１２１側に押圧することができない。
【００１７】
そのため、マイク１０１は、前後方向に振動し易い状態で保持固定され、マイク１０１にハウリングが生じ易いという問題があった。
【００１８】
一方、ベース本体１０２の支持リブ１４２を剛性を有する硬質で成形した場合、マイク挿入部１１２の挿入口が硬くなって、マイク１０１を挿入することが困難である。
【００１９】
また、この問題を解消するため、支持リブ１４２をマイク基板１１１と僅かに隙間をあけて立設すれば、挿入後のマイク１０１をマイク部１２１側に押圧することができず、やはりハウリングを生じ易いという問題がある。
【００２０】
本発明は、かかる課題を解決することを目的としたもので、マイクを容易に挿入でき、しかも挿入したマイクを前方向に押圧して確実に保持固定し、マイクのハウリングを防止できるハンズフリーインターホンのマイク固定構造を提供する。
【課題を解決するための手段】
上記目的を達成するため、
請求項１に係るハンズフリーインターホンのマイク固定構造は、マイクを、ベース本体の内面適所に形成されたマイク挿入部に挿入し、このベース本体にカバー体を被せて上記マイクを保持固定する構造にしたハンズフリーインターホンのマイク固定構造において、
上記マイク挿入部は、ベース本体の側壁に向けてマイク穴が形成されると共に、上記マイクを保持する弾性を有する支持リブを上記ベース本体の底壁から突設し、この支持リブの内側には、ベース本体の底壁から突設した硬質のリブ部を間隔をあけて更に突設して凹所を形成し、この凹所に上記カバー体から突設された硬質の脚部を嵌入して上記マイクを保持固定する構造にしている。
【００２１】
請求項１では、ベース本体に弾性を有する支持リブを設け、この支持リブの内側に凹所を形成すると共に、カバー体に上記凹所に嵌入する硬質の脚部を突設している。
【００２２】
そのため、マイクをベース本体のマイク挿入部に挿入すると、支持リブは、その弾性によって撓み、マイクをスムーズに挿入できる。
【００２３】
また、マイクを挿入後、ベース本体にカバー体を被せれば、カバー体の硬質の脚部が、ベース体の凹所に嵌入し、支持リブの凹所側への弾性を規制すると共に、支持リブをマイク側に押圧する。
【００２４】
したがって、マイク挿入部の支持リブが硬質状態と化し、マイクを前方向に押圧してマイクを確実に保持固定し、マイクのハウリングを防止できる。
請求項２に係るハンズフリーインターホンのマイク固定構造は、請求項１において、上記支持リブには、少なくともマイクの重心位置と対応する部分に、マイク側に突出させた突起部を形成している。
【００２５】
請求項２では、支持リブに形成された突起部が、マイクの重心位置にあるので、突起部は、マイクの重心位置を押圧する。
【００２６】
そのため、マイクを前方向により押圧し、マイクをより確実に保持固定し、マイクのハウリングを防止できる。
【００２７】
請求項３に係るハンズフリーインターホンのマイク固定構造は、請求項２において、上記突起部は、マイクの重心位置を中心にして左右対称な位置に各々形成している。
【００２８】
請求項３では、支持リブをマイクの重心位置を基準にして左右対称な位置に各々形成しているので、マイクを前方向へ均等に押圧でき、マイクの保持固定を安定できる。
【００２９】
請求項４に係るハンズフリーインターホンのマイク固定構造は、請求項２又は３の何れかにおいて、上記突起部の端部は、マイクの挿入側に向けて徐々に細くしたテーパー状に形成している。
【００３０】
請求項４では、支持リブの突起部をマイクの挿入側に向けて徐々に細くしたテーパ状に形成している。
【００３１】
そのため、マイクをマイク挿入部に挿入する際に、マイクが上記突起部に引っ掛かることなく、よりスムーズ且つ容易に挿入できる。
【００３２】
【発明の実施の形態】
以下、本発明に係るハンズフリーインターホンのマイク固定構造を図面に基づき説明する。
図１は、本発明に係るハンズフリーインターホンのマイク固定構造を示す分解斜視図である。
【００３３】
図中１は、ハンズフリーインターホンＨに内蔵されるマイクであり、このマイク１を、ベース本体２の下側右隅の内面適所に形成されたマイク挿入部３に挿入し、ベース本体２にカバー体４を被せて上記マイク１を保持固定する。
【００３４】
マイク１は、マイク基板１１の片面に、軟質ゴムキャップで被われた円柱状のマイク部１２を立設して形成されている。
【００３５】
ベース本体２は、底壁２１の全周に側壁２２を立設し、上方を開放した箱状に形成している。
【００３６】
このベース本体２には、制御回路基板（不図示）が内蔵され、これにモニタ、スピーカ、電源などが連結されている。
【００３７】
マイク挿入部３には、ベース本体２の側壁２２に向けて貫通するマイク穴３１が形成されている。
【００３８】
ここでは、ベース本体２の側壁２２適所を半円状に切欠し、この切欠いた部分に、円盤状のマイク保護板３１ａを固着し、このマイク保護板３１ａの略中心にマイク穴３１を開設している。
【００３９】
また、マイク挿入部３には、マイク１のマイク基板１１を保持する支持リブ３２をベース本体２の底壁２１から上方に向けて立設している。
【００４０】
この支持リブ３２は、弾性を有する薄板に成形しており、マイク穴３１の方向（以下、「前方向」と呼ぶ。）又はこれと逆方向（以下、「後方向」と呼ぶ。）に自在に撓むことができる。
【００４１】
そのため、マイク１をマイク挿入部３に挿入する際に、支持リブ３２は、その弾性によって撓み、マイク１をスムーズに挿入できる。
【００４２】
ここでは、マイク穴３１の延長上に位置するマイク１の重心位置Ｐを中心にして左右対称な２枚の支持リブ３２、３２を立設し、その中央部分に開口部３３を形成しており、この開口部３３を通じてマイク１を上記制御回路基板に容易に連結できる。
【００４３】
また支持リブ３２には、少なくともマイクの重心位置Ｐと対応する部分に、マイク側に突出させた突起部３４を形成する。
【００４４】
ここでは、マイク１の重心位置Ｐを中心にして左右対称な２枚の支持リブ３２、３２に各々突起部３４、３４を形成している。
【００４５】
このように、支持リブ３２に形成された突起部３４が、マイク１の重心位置Ｐと対応する位置にあるので、この突起部３４がマイク１の重心位置を押圧して、マイク１を前方向に押圧できる。
【００４６】
また、本実施例で示したように、２枚の支持リブ３２、３２に突起部３４、３４を形成すれば、マイク１の重心位置Ｐを基準にして左右均等な押圧力をマイク１に付与することができ、マイク１を前方向に安定して押圧できる。
【００４７】
さらに、本実施例では、突起部３４、３４の上端を、上側に向けて徐々に細くしたテーパー状に形成している。
【００４８】
そのため、マイク１をマイク挿入部３に挿入する際に、マイク１が突起部３４、３４に引っ掛かることなく、よりスムーズ且つ容易に挿入できる。
【００４９】
また、マイク挿入部３には、挿入されるマイク部１２の中心を位置付けるための位置決めリブ３５を、ベース本体２の底壁２２適所から立設している。
【００５０】
前記のように形成した支持リブ３２の内側（マイク側と逆側）には、間隔をあけてベース本体２の底壁２２から突設した硬質のリブ部３６を更に上方に向けて突設し、凹所３７を形成している。
【００５１】
このリブ部３６は、底壁２２に向けて徐々に分厚く形成し、前後方向に撓まない硬質に形成している。
【００５２】
ここでは、マイク１の重心位置Ｐを中心にして左右対称な２枚のリブ部３６、３６を立設し、その中央部分に開口部３８を形成しており、この開口部３８を通じてマイク１を上記制御回路基板へ容易に連結できる。
【００５３】
一方、カバー体４には、凹所３７に嵌入する硬質の脚部４１を下方に向けて突設している。
【００５４】
この脚部４１は、ベース本体２の凹所３７に嵌入され、硬質のリブ部３６と接合することによってその剛性を高めることができ、脚部４１の前方に接合する支持リブ３２、３２の弾性を後方向に確実に規制できる。
【００５５】
また、カバー体４には、位置決めリブ３５と略対向する位置に、挿入したマイク１を側方から押し付ける押片４２を立設している。
【００５６】
図２は、本発明に係るハンズフリーインターホンの固定構造を示す要部断面図である。
【００５７】
前述のように構成したハンズフリーインターホンＨのマイク固定構造では、以下の要領で組立される。
【００５８】
先ず、マイク部１２をベース本体２の側壁２２に向けた状態で、ベース本体２の開放側からマイク１をマイク挿入部３に挿入する。
【００５９】
すると、マイク基板１１は、支持リブ３２の突起部３４に当接する。
【００６０】
これを更に押し込むと、弾性を有する支持リブ３２は、後側に撓んで押し広げられ、マイク基板１１は、突起部３４と摺接しながらスムーズに挿入できる。
【００６１】
やがて、マイク部１２の側壁は、ベース本体２の位置決めリブ３５によって、それ以上の挿入を規制されると共に、マイク部１２の重心位置Ｐがマイク穴３１の中心と重合して位置付けられる。
【００６２】
このとき、支持リブ３２の突起部３４は、マイク１の重心位置Ｐと対応する部分に位置付けされ、しかも、押し広げられた支持リブ３２は前方向に弾性付勢するので、マイク１を前方向に押圧し、マイク１はマイク挿入部３にしっかりと仮保持される。
【００６３】
次いで、支持リブ３２、３２間の開口３３等を通じてマイク基板１１と上記制御回路基板を連結し、その他の部品等もこれと連結して組み付けた後、ベース本体２にカバー体４を嵌め合わせる。
【００６４】
すると、カバー体４から突設した硬質の脚部４１は、ベース本体２の支持リブ３２及びリブ部３６とで挟まれながら摺動し、凹所３７へと嵌入して行く。
【００６５】
この硬質の脚部４１が凹所３７に嵌入することで、支持リブ３２は、後方向への弾性が規制されると共に、脚部４１によって前方向に押圧される。
【００６６】
その押圧によって、支持リブ３２の前方に仮保持されているマイク１も前方向にさらに押圧されると共に、カバー体４の押片４２がマイク１の側方を押え付けた状態となり、ベース本体２にカバー体４が嵌合される。
【００６７】
最後に、上記ベース本体２の底壁２１適所に設けたネジ孔を通じてカバー体４にネジ止めすれば、マイク１を、その前後、左右の何れにも押圧した状態で確実に保持固定することができ、マイク１のハウリングを防止できる。
【００６８】
【発明の効果】
本発明によれば、次のような効果がある。
【００６９】
請求項１に係るハンズフリーインターホンのマイク固定構造によれば、マイクをベース本体のマイク挿入部に挿入すると、支持リブは、その弾性によって撓み、マイクをスムーズに挿入できる。
【００７０】
加えて、マイクを挿入後、ベース本体にカバー体を被せれば、カバー体の硬質の脚部が、ベース体の凹所に嵌入し、支持リブの凹所側への弾性を規制すると共に、支持リブをマイク側に押圧するので、この支持リブが硬質状態と化し、マイクを前方向に押圧してマイクを確実に保持固定し、マイクのハウリングを防止できる。
【００７１】
請求項２に係るハンズフリーインターホンのマイク固定構造によれば、支持リブに形成された突起部が、マイクの重心位置と対応する部分にあるので、突起部は、マイクの重心位置を確実に押圧できる。
【００７２】
また、突起部はマイク側に突設しているので、マイクを前方向により押圧でき、マイクの保持固定をより確実にしてマイクのハウリングを防止できる。
【００７３】
請求項３に係るハンズフリーインターホンのマイク固定構造によれば、支持リブをマイクの重心位置を基準にして左右対称な位置に各々形成しているので、マイクを前方向へ均等に押圧でき、マイクの保持固定を安定できる。
【００７４】
請求項４に係るハンズフリーインターホンのマイク固定構造によれば、支持リブの突起部をマイクの挿入側に向けて徐々に細くしたテーパ状に形成しているので、マイクをマイク挿入部に挿入する際に、マイクが上記突起部に引っ掛かることなく、よりスムーズ且つ容易に挿入できる。
【図面の簡単な説明】
【図１】本発明に係るハンズフリーインターホンのマイク固定構造を示す分解斜視図
【図２】本発明に係るハンズフリーインターホンの固定構造を示す要部断面図
【図３】従来のハンズフリーインターホンのマイク固定構造を示す要部断面図
【符号の説明】
Ｈ    ハンズフリーインターホン
Ｐ    マイクの重心位置
１      マイク
２    ベース本体
２１  底壁
２２  側壁
３    マイク挿入部
３１  マイク穴
３２  支持リブ
３４  突起部
３６  リブ部
３７  凹所
４    カバー体
４１  脚部
【図１】
0003589142.tif 000002
【図２】
0003589142.tif 000003
【図３】
0003589142.tif 000004